(57)【要約】【課題】シール部材が閉塞部材に装着された状態を確実に維持し、組立性を向上させる。【解決手段】前面開口部の第一扉体、第二扉体２２は、キャビネット本体の前面開口部の外周に沿って配置された折返し端部３５ｈを有する扉本体３５と、折返し端部３５ｈと対向する側板部３７ｂを有する補強カバー３７Ｃと、キャビネット本体と扉本体３５との間に設けられたシールパッキン５０と、を備え、シールパッキン５０は、前面開口部の外周側でキャビネット本体に突き当たるよう設けられたパッキン部５１と、パッキン部５１から扉面部３５ｆ側に向かって突出し、折返し端部３５ｈと側板部３７ｂとの間に挟持される被挟持部５２ａと、を一体に備える。【選択図】図８
2016160603.tif 000002
【特許請求の範囲】
【請求項１】
什器本体に形成された開口部を閉塞する閉塞面部、および前記開口部の外周に沿って配置された第一保持部を有する閉塞部材本体と、
前記第一保持部と対向する第二保持部を有する押さえ部材と、
前記什器本体と前記閉塞部材本体との間に設けられたシールパッキンと、
を備え、
前記シールパッキンは、
前記開口部の外周側で前記什器本体に突き当たるよう設けられたパッキン部と、
前記パッキン部から前記閉塞面部側に向かって突出し、前記第一保持部と前記第二保持部との間に挟持される被挟持部と、を備える什器開口部の閉塞部材。
【請求項２】
前記第一保持部、前記第二保持部および前記シールパッキンは、前記閉塞部材本体の外周部に沿って連続して設けられていることを特徴とする請求項１に記載の什器開口部の閉塞部材。
【請求項３】
前記押さえ部材が、前記閉塞面部を補強する補強部材であることを特徴とする請求項１または２に記載の什器開口部の閉塞部材。
【請求項４】
前記押さえ部材は、前記パッキン部を保持する板状部と、前記板状部から連続し、前記第二保持部を形成する側板部と、を備え、
前記シールパッキンは、前記被挟持部に連続して、前記側板部の先端部で折り返されて前記側板部に係止される折返し係止部が一体に形成されていることを特徴とする請求項１から３のいずれか一項に記載の什器開口部の閉塞部材。
【請求項５】
前記シールパッキンは、前記折返し係止部に連続して、前記側板部における前記第一保持部と反対側の側面に沿って延び、前記側面に形成された押さえ部材側段部に係合する係止爪部をさらに備えることを特徴とする請求項４に記載の什器開口部の閉塞部材。
【請求項６】
前記シールパッキンの前記被挟持部に、前記第一保持部側に突出し、前記第一保持部に形成された保持面側段部に係合する係止凸部が形成されていることを特徴とする請求項１から５のいずれか一項に記載の什器開口部の閉塞部材。
【請求項７】
開口部を有した什器本体と、
請求項１から６のいずれか一項に記載の什器開口部の閉塞部材と、
を備えることを特徴とする什器。
【発明の詳細な説明】
【技術分野】
【０００１】
本発明は、什器開口部の閉塞部材、什器に関する。
【背景技術】
【０００２】
オフィスや公共施設等の執務空間においては、物品を収容可能とした物品収容空間を有した、キャビネット、ロッカー等の物品収容什器が多く使用されている。
【０００３】
こうした物品収容什器において、物品収容空間に収容した物品を、清潔かつ安全に収容・保管するため、開閉可能な扉を備えることがある。このような扉は、物品収容空間を有した什器本体の前面開口部の外周部に突き当たることで、物品収容空間を外部から閉塞する。
【０００４】
また、キャビネットの引出し等においても、物品収容空間を有した引出しトレーの前面に、引出しトレーが収容される什器本体の前面開口部の外周部に突き当たる前面板が一体に設けられている。この前面板が、前面開口部の外周部に突き当たることで、物品収容空間を外部から閉塞する。
【０００５】
このような扉や引出しトレーの前面板等の閉塞部材を閉じたときの密閉性を高める場合には、閉塞部材の物品収容空間側を向く背面に、什器本体の前面開口部の外周部に密着可能なシール部材を設けることが一般的である。
【０００６】
特許文献１には、シール部材を、閉塞部材に貼り付ける構成が開示されている。シール部材を貼り付けるには、両面粘着テープや、接着剤等が広く用いられている。
【先行技術文献】
【特許文献】
【０００７】
【特許文献１】特開２０１０−２７２７２３号公報
【発明の概要】
【発明が解決しようとする課題】
【０００８】
しかし、両面粘着テープや接着剤を用いてシール部材を貼り付ける構成では、粘着剤や接着剤の経年劣化により、シール部材が閉塞部材から剥離してしまうことがある。
また、閉塞部材にシール部材を貼り付ける際には、両面粘着テープをシール部材に貼り付けたり、両面粘着テープの閉塞部材を向く側の粘着部に取り付けられている剥離テープを剥がしたり、接着剤をシール部材に塗布する必要がある。したがって、作業の手間がかかり、組立コストが嵩む。
そこでなされた本発明の目的は、シール部材が閉塞部材に装着された状態を確実に維持し、かつ組立性を向上させることのできる什器開口部の閉塞部材、什器を提供することである。
【課題を解決するための手段】
【０００９】
本発明は、上記課題を解決するため、以下の手段を採用する。
この発明に係る什器開口部の閉塞部材は、什器本体に形成された開口部を閉塞する閉塞面部、および前記開口部の外周に沿って配置された第一保持部を有する閉塞部材本体と、前記第一保持部と対向する第二保持部を有する押さえ部材と、前記什器本体と前記閉塞部材本体との間に設けられたシールパッキンと、を備え、前記シールパッキンは、前記開口部の外周側で前記什器本体に突き当たるよう設けられたパッキン部と、前記パッキン部から前記閉塞面部側に向かって突出し、前記第一保持部と前記第二保持部との間に挟持される被挟持部と、を備える。
【００１０】
このように、開口部の外周に沿って配置された第一保持部と、第一保持部と対向する押さえ部材の第二保持部との間に、シールパッキンの被挟持部を挟持させることで、両面テープや接着剤等を用いることなく、シールパッキンを容易かつ確実に閉塞部材本体側に取り付けることができる。
【００１１】
また、この発明に係る什器開口部の閉塞部材は、上記什器開口部の閉塞部材において、前記第一保持部、前記第二保持部および前記シールパッキンは、前記閉塞部材本体の外周部に沿って連続して設けられているようにしてもよい。
このように、シールパッキンの被挟持部を閉塞部材本体の外周部に沿って連続して設けるとともに、この被挟持部を、閉塞部材本体の外周部に沿って連続する第一保持部および押さえ部材の第二保持部によって挟持することで、シールパッキンの全体を確実に閉塞部材に固定することができる。
【００１２】
また、この発明に係る什器開口部の閉塞部材は、上記什器開口部の閉塞部材において、前記押さえ部材が、前記閉塞面部を補強する補強部材であるようにしてもよい。
このように、補強部材が押さえ部材を兼ねることで、閉塞部材を構成する部材数を抑え、低コスト化を図ることができる。
【００１３】
また、この発明に係る什器開口部の閉塞部材は、上記什器開口部の閉塞部材において、前記押さえ部材は、前記パッキン部を保持する板状部と、前記板状部から連続し、前記第二保持部を形成する側板部と、を備え、前記シールパッキンは、前記被挟持部に連続して、前記側板部の先端部で折り返されて前記側板部に係止される折返し係止部が一体に形成されているようにしてもよい。
このように、シールパッキンの折返し係止部が、押さえ部材の側板部の先端部に係止されることで、シールパッキンが第一保持部と押さえ部材の第二保持部との間から抜けるのを確実に防止することができる。
また、閉塞部材の組立に際しては、押さえ部材にシールパッキンを係止させておくことで、組立性を向上させることができる。
【００１４】
また、この発明に係る什器開口部の閉塞部材は、上記什器開口部の閉塞部材において、前記シールパッキンは、前記折返し係止部に連続して、前記側板部における前記第一保持部と反対側の側面に沿って延び、前記側面に形成された押さえ部材側段部に係合する係止爪部をさらに備えるようにしてもよい。
このように構成することで、シールパッキンの係止爪部を、押さえ部材側段部に係合させることによって、シールパッキンを、押さえ部材に対し、より確実に係合させることができる。
【００１５】
また、この発明に係る什器開口部の閉塞部材は、上記什器開口部の閉塞部材において、前記シールパッキンの前記被挟持部に、前記第一保持部側に突出し、前記第一保持部に形成された保持面側段部に係合する係止凸部が形成されているようにしてもよい。
このように構成することで、シールパッキンの係止凸部を、第一保持部の保持面側段部に係合させることによって、シールパッキンを、閉塞部材本体に対しても係合させることができる。
【００１６】
また、この発明に係る什器は、開口部を有した什器本体と、上記したような什器開口部の閉塞部材と、を備えることを特徴とする。
【発明の効果】
【００１７】
この発明に係る什器開口部の閉塞部材、什器の全体構成によれば、両面テープや接着剤等を用いることなく、シールパッキンを確実に取り付けることができるので、シール部材が閉塞部材に装着された状態を確実に維持し、かつ組立性を向上させることが可能となる。
【図面の簡単な説明】
【００１８】
【図１】この発明の一実施形態に係る収納キャビネットの正面図である。
【図２】上記実施形態における収納キャビネットを構成するキャビネット本体の概略構成を示す斜視図である。
【図３】第一扉体を後方から見た正面図である。
【図４】図３のＡ−Ａ断面図である。
【図５】図３のＢ−Ｂ断面図である。
【図６】第一扉体を構成する扉本体を後方から見た正面図である。
【図７】第二扉体を後方から見た正面図である。
【図８】図７のＣ−Ｃ断面図である。
【図９】図７のＤ−Ｄ断面図である。
【図１０】第二扉体を構成する扉本体を後方から見た正面図である。
【発明を実施するための形態】
【００１９】
以下、添付図面を参照して、本発明による什器開口部の閉塞部材、什器を実施するための形態を説明する。しかし、本発明はこの実施形態のみに限定されるものではない。
【００２０】
（第１の実施形態）
図１は、この実施形態に係る実施形態に係る収納キャビネットの正面図である。図２は、収納キャビネットを構成するキャビネット本体の概略構成を示す斜視図である。
図１、図２に示すように、収納キャビネット（什器）１０は、キャビネット本体（什器本体）１１と、扉部２０と、を備えている。この収納キャビネット１０は、例えば、医療施設や介護施設等において、医療用または介護用の物品等を収容する際に使用される。
ここで、以下の説明において、収納キャビネット１０に対して利用者が対向する側を前方、収納キャビネット１０において前方と反対側を後方、水平面内において前方と後方を結ぶ方向に対して直交する方向を幅方向として説明を行う。
【００２１】
図２に示すように、キャビネット本体１１は、底板部１２と、側板部１３，１３と、背板部１４と、天板部１５と、を備えている。
【００２２】
底板部１２は、平面視矩形をなしている。側板部１３，１３は、底板部１２において互いに対向する二辺から鉛直上方に向けて延びるよう設けられている。背板部１４は、底板部１２において、側板部１３，１３の一端１３ａ，１３ａ側に位置する端部から鉛直上方に向けて延びるよう設けられている。この背板部１４は、側板部１３，１３の一端１３ａ，１３ａの間を塞ぐ。天板部１５は、平面視矩形状で、側板部１３，１３および背板部１４上に設けられている。
【００２３】
このようにして、キャビネット本体１１は、底板部１２と、側板部１３，１３と、背板部１４と、天板部１５とに囲まれた収容空間Ｓを備えている。また、キャビネット本体１１は、側板部１３，１３の他端１３ｂ，１３ｂ側に、収容空間Ｓを挟んで背板部１４と反対側に向けて開口する前面開口部（什器開口部、開口部）１６を有している。
【００２４】
キャビネット本体１１において、側板部１３，１３の内側面１３ｃ，１３ｃには、それぞれ、上下方向に間隔をあけて複数のガイドレール（トレー保持部）１３ｇが設けられている。各ガイドレール１３ｇは、側板部１３の一端１３ａ側と他端１３ｂ側とを結ぶ方向に延びている。
【００２５】
キャビネット本体１１の収容空間Ｓ内には、平面視矩形の物品収容トレー１００が収容できるようになっている。物品収容トレー１００は、上方に開口した有底状のトレー部１０１を備えている。トレー部１０１の外周部において、互いに対向する二辺に沿って、外方に向けて突出する被ガイド部１０２が一体に設けられている。このような物品収容トレー１００は、両側の被被ガイド部１０２，１０２をガイドレール１３ｇ，１３ｇ上に載せ、ガイドレール１３ｇ，１３ｇに沿って移動させることで、キャビネット本体１１の前面開口部１６を通して収容空間Ｓ内外への出し入れが自在となっている。
上記した物品収容トレー１００は、施設内における物品の流れ（物流）を効率化するため、施設内における物品の管理や物流の一元化を図るＳＰＤ（Supply Processing & Distribution）と称される院内物流システムの規格に対応したものとすることができる。
【００２６】
図１、図２に示すように、扉部２０は、第一扉体（閉塞部材）２１と、第二扉体（閉塞部材）２２とを備える。これら第一扉体２１と、第二扉体２２とによって、キャビネット本体１１の前面開口部１６を閉塞することができる。
第一扉体２１は、キャビネット本体１１の前面開口部１６に向かって幅方向一方の側（例えば図１の例では正面視左側）に設けられている。第二扉体２２は、キャビネット本体１１の前面開口部１６に向かって幅方向他方の側（例えば図１の例では正面視右側）に設けられている。
【００２７】
第一扉体２１、第二扉体２２は、キャビネット本体１１の側板部１３，１３の他端１３ｂ，１３ｂに対し、それぞれ、上下方向に間隔を開けて設けられた複数のヒンジユニット２３（図３、図７照）を介して、鉛直軸回りに回動に設けられている。
このようにして、第一扉体２１と第二扉体２２とは、いわゆる観音開きに開閉するようになっている。
【００２８】
ここで、第一扉体２１は、その一部に光透過性を有したガラス部２４を有している。第二扉体２２は、第一扉体２１および第二扉体２２を閉状態にロックするロックユニット４０を有している。
このような構成において、第一扉体２１は、第二扉体２２よりも、幅寸法が大きくなるよう形成されている。これには、ロックユニット４０を有した第二扉体２２は、その幅寸法Ｗ２をできるだけ小さくする。これにより、ガラス部２４を有した第一扉体２１の幅寸法Ｗ１を大きくすることができる。その結果、ガラス部２４の面積を大きく確保することが可能となる。
【００２９】
第一扉体２１の扉面２１ｆは、開口部２５ａを有した扉本体（閉塞部材本体）２５の扉面部(閉塞面部）２５ｆと、扉本体２５に設けられた上記のガラス部２４と、により形成されている。
扉本体２５は、金属製、樹脂製等であり、光透過性を有さない非透過性材料から形成されている。扉本体２５は、扉面部２５ｆの上半部と下半部とに、それぞれ上下方向に長い矩形の開口部２５ａを有している。
ガラス部２４は、それぞれの開口部２５ａを塞ぐように設けられている。このガラス部２４により、第一扉体２１を閉じた状態で、ガラス部２４を通して、キャビネット本体１１の収容空間２内に収容した物品等を目視することができる。
【００３０】
図３は、第一扉体を後方から見た正面図である。図４は、図３のＡ−Ａ断面図である。図５は、図３のＢ−Ｂ断面図である。図６は、第一扉体を構成する扉本体を後方から見た正面図である。
図３〜図６に示すように、扉本体２５の扉面部２５ｆの外周部には、後方に向かって立ち上がる外周端面部２５ｓと、外周端面部２５ｓの後端から直交し、扉面部２５ｆの内側に向かって扉面部２５ｆと平行に延びる後面部２５ｇと、後面部２５ｇの内周端から直交して扉面部２５ｆに向かって延びる折返し端部（第一保持部）２５ｈと、が形成されている。
ここで、折返し端部２５ｈの先端部（保持面側段部）２５ｔは、扉面部２５ｆとの間に間隔を空けて配置されている。
【００３１】
扉本体２５の扉面部２５ｆの後面には、幅方向の一方の側端部２５ｋに、ヒンジユニット２３が固定されている。ヒンジユニット２３は、上下方向に間隔をあけて、例えば３カ所に設けられている。ヒンジユニット２３は、扉本体２５とキャビネット本体１１とを、鉛直軸周りに回動自在に連結する複数のリンクアーム（図示無し）を備えている。
【００３２】
図６に示すように、扉本体２５の扉面部２５ｆの後面には、上端部２５ｕ、下端部２５ｂ、一方の側端部２５ｋ、他方の側端部２５ｌに、補強カバー取付ベース２６Ａ，２６Ｂ，２６Ｃ，２６Ｄがそれぞれ固定されている。補強カバー取付ベース２６Ａ，２６Ｂ，２６Ｃ，２６Ｄは、上端部２５ｕ、下端部２５ｂ、一方の側端部２５ｋ、他方の側端部２５ｌのそれぞれに沿って延びるよう設けられている。
【００３３】
図３、図４に示すように、上端部２５ｕ、下端部２５ｂ、他方の側端部２５ｌに沿って延びる補強カバー取付ベース２６Ａ，２６Ｂ，２６Ｄは、扉本体２５の扉面部２５ｆの後面に固定されたベース部２６ａと、ベース部２６ａから後方に向けて延びる立ち上がり壁部２６ｂと、立ち上がり壁部２６ｂの後端から直交して延び、ベース部２６ａに平行に延びる取付部２６ｃと、を有して形成されている。
【００３４】
一方の側端部２５ｋに沿って延びる補強カバー取付ベース２６Ｃは、扉本体２５の扉面部２５ｆの後面に固定されたベース部２６ａと、ベース部２６ａの両側から後方に向けて延びる立ち上がり壁部２６ｂ，２６ｂと、それぞれの立ち上がり壁部２６ｂの後端から直交して延び、ベース部２６ａに平行に延びる取付部２６ｃと、を有している。
【００３５】
扉本体２５には、上端部２５ｕ、下端部２５ｂ、一方の側端部２５ｋ、他方の側端部２５ｌに、補強カバー（押さえ部材）２７Ａ，２７Ｂ，２７Ｃ，２７Ｄが固定されている。補強カバー２７Ａ，２７Ｂ，２７Ｃ，２７Ｄは、上端部２５ｕ、下端部２５ｂ、一方の側端部２５ｋ、他方の側端部２５ｌのそれぞれに沿って延びるよう設けられている。なお、一方の側端部２５ｋに設けられた補強カバー２７Ｃは、ヒンジユニット２３を避けるように形成されている。
【００３６】
補強カバー２７Ａ，２７Ｂ，２７Ｃ，２７Ｄのそれぞれは、扉本体２５の後面部２５ｇと同一面内に配置される板状部２７ａと、板状部２７ａの一端から扉本体２５の折返し端部２５ｈと平行に延びる側板部（第二保持部）２７ｂと、板状部２７ａの他端から扉本体２５の扉面部２５ｆに向かって延びる側板部２７ｃと、側板部２７ｃの先端から側板部２７ｂ側に延びる折返し端部２７ｄと、を一体に有している。さらに、側板部２７ｂは、先端部で折り返され、これによって側板部２７ｂにおいて側板部２７ｃと反対側に段部（押さえ部材側段部）２７ｔが形成されている。
【００３７】
補強カバー２７Ａ，２７Ｂ，２７Ｃ，２７Ｄの板状部２７ａには、所定位置に扉面部２５ｆに向かって凹む凹部２７ｈが形成されている。補強カバー２７は、補強カバー取付ベース２６の取付部２６ｃに、凹部２７ｈの底面を突き当てた状態で配置される。そして、凹部２７ｈを貫通させてビス２９を通し、補強カバー取付ベース２６の取付部２６ｃに設けられた雌ネジ部２６ｎにねじ込むことで、補強カバー２７Ａ，２７Ｂ，２７Ｃ，２７Ｄは、補強カバー取付ベース２６Ａ，２６Ｂ，２６Ｄにそれぞれ固定されている。
【００３８】
また、図４、図６に示すように、扉本体２５の扉面部２５ｆの後面には、上下の開口部２５ａ，２５ａの間に、幅方向に連続する補強カバー取付ベース３０が設けられている。補強カバー取付ベース３０は、扉本体２５の扉面部２５ｆの後面に固定されたベース部３０ａと、ベース部３０ａの両側から後方に向けて延びる立ち上がり壁部３０ｂ，３０ｂと、それぞれの立ち上がり壁部３０ｂの後端から直交して延び、ベース部３０ａに平行に延びる取付部３０ｃと、を有している。
【００３９】
図４に示すように、この補強カバー取付ベース３０には、幅方向に連続する中間部補強カバー３１が、ビス２９によって取り付けられている。中間部補強カバー３１は、補強カバー取付ベース３０の両側の取付部３０ｃ，３０ｃにビス２９で固定されることで支持された板状部３１ａと、板状部３１ａの両側端部から前方に向かって延びる側板部３１ｂ、３１ｂと、側板部３１ｂ、３１ｂの先端部から板状部３１ａと平行に延びる折返し端部３１ｃ、３１ｃと、を一体に有している。
【００４０】
開口部２５ａを塞ぐガラス部２４は、板状のガラス材からなり、その外径寸法が開口部２５ａの開口寸法よりも大きく設定されている。そして、ガラス部２４は、扉本体２５の扉面部２５ｆの後面側に配置されている。ガラス部２４の外周縁部は、扉本体２５の扉面部２５ｆと、開口部２５ａの四辺を囲うように配置された補強カバー２７Ａ，２７Ｂ，２７Ｃ，２７Ｄ、中間部補強カバー３１と、に挟み込まれて保持されている。
【００４１】
詳細には、ガラス部２４の上下方向の一方の外周縁部は、扉本体２５の扉面部２５ｆと補強カバー２７Ａまたは補強カバー２７Ｂの折返し端部２７ｄとの間に挟み込まれている。また、ガラス部２４の上下方向の他方の外周縁部は、扉本体２５の扉面部２５ｆと補強カバー取付ベース３０の折返し端部３１ｃとの間に挟み込まれている。また、ガラス部２４の幅方向の両側の外周縁部は、扉本体２５の扉面部２５ｆと補強カバー２７Ｃおよび補強カバー２７Ｄの折返し端部２７ｄとの間に挟み込まれている。
【００４２】
図７は、第二扉体を後方から見た正面図である。図８は、図７のＣ−Ｃ断面図である。図９は、図７のＤ−Ｄ断面図である。図１０は、第二扉体を構成する扉本体を後方から見た正面図である。
図１に示すように、第二扉体２２は、その扉面２２ｆの全体が、金属製、樹脂製等の光透過性を有さない非透過性材料から形成されている。
【００４３】
図８〜図１０に示すように、第二扉体２２の扉本体（閉塞部材本体）３５の扉面部(閉塞面部）３５ｆの外周部には、後方に向かって立ち上がる外周端面部３５ｓと、外周端面部３５ｓの後端から直交し、扉面部３５ｆの内側に向かって扉面部３５ｆと平行に延びる後面部３５ｇと、後面部３５ｇの内周端から直交して扉面部３５ｆに向かって延びる折返し端部３５ｈと、が形成されている。
ここで、折返し端部３５ｈの先端部（保持面側段部）３５ｔは、扉面部３５ｆとの間に間隔を空けて配置されている。
【００４４】
図７に示すように、扉本体３５の扉面部３５ｆの後面には、幅方向の一方の側端部３５ｋに、ヒンジユニット２３が固定されている。ヒンジユニット２３は、上下方向に間隔をあけて、例えば３カ所に設けられている。
【００４５】
図１０に示すように、扉本体３５の扉面部３５ｆの後面には、上端部３５ｕ、下端部３５ｂ、一方の側端部３５ｋ、他方の側端部３５ｌに、補強カバー取付ベース３６Ａ，３６Ｂ，３６Ｃ，３６Ｄが固定されている。なお、補強カバー取付ベース３６Ｄは、ロックユニット４０（図７参照）の設置スペースを避けて、２本に分割して設けられている。補強カバー取付ベース３６Ａ，３６Ｂ，３６Ｃ，３６Ｄは、上端部３５ｕ、下端部３５ｂ、一方の側端部３５ｋ、他方の側端部３５ｌのそれぞれに沿って延びるよう設けられている。
【００４６】
補強カバー取付ベース３６Ａ，３６Ｂ，３６Ｃ，３６Ｄは、それぞれ、扉本体３５の扉面部３５ｆの後面に固定されたベース部３６ａと、ベース部３６ａから後方に向けて延びる立ち上がり壁部３６ｂと、立ち上がり壁部３６ｂの後端から直交して延び、ベース部３６ａに平行に延びる取付部３６ｃと、を有して形成されている。
【００４７】
図７に示すように、第二扉体２２の後面側において、扉本体３５には、上端部３５ｕ、下端部３５ｂ、一方の側端部３５ｋ、他方の側端部３５ｌに、補強カバー（押さえ部材）３７Ａ，３７Ｂ，３７Ｃが固定されている。補強カバー３７Ａ，３７Ｂは、上端部３５ｕ、下端部３５ｂのそれぞれに沿って延びるよう設けられている。補強カバー３７Ｃは、一方の側端部３５ｋ、他方の側端部３５ｌに沿って延びるとともに、一方の側端部３５ｋ、他方の側端部３５ｌとの間を塞ぐよう設けられている。この補強カバー３７Ｃは、ヒンジユニット２３およびロックユニット４０を避けるように形成されている。
【００４８】
図８に示すように、補強カバー３７Ａ，３７Ｂのそれぞれは、扉本体３５の後面部３５ｇと同一面内に配置される板状部３７ａと、板状部３７ａの一端から扉本体３５の折返し端部（第一保持部）３５ｈと平行に延びる側板部（第二保持部）３７ｂと、板状部３７ａの他端から扉本体３５の扉面部３５ｆに向かって延びる側板部３７ｃと、側板部３７ｃの先端から側板部３７ｂ側に延びる折返し端部３７ｄと、を一体に有している。さらに、側板部３７ｂは、先端部で折り返され、これによって側板部３７ｂにおいて側板部３７ｃと反対側に段部（押さえ部材側段部）３７ｔが形成されている。
【００４９】
図９に示すように、補強カバー３７Ｃは、扉本体３５の後面部３５ｇと同一面内に配置される板状部３７ａと、板状部３７ａの両端から扉本体３５の折返し端部３５ｈと平行に延びる側板部３７ｂ，３７ｂと、を一体に有している。
【００５０】
補強カバー３７Ａ，３７Ｂ，３７Ｃの板状部３７ａには、所定位置に凹部３７ｈが形成されている。補強カバー３７は、補強カバー取付ベース３６の取付部３６ｃに、凹部３７ｈの底面を突き当てた状態で配置される。そして、凹部３７ｈに貫通させてビス３９を補強カバー取付ベース３６の取付部３６ｃに設けられた雌ネジ部３６ｎにねじ込むことで、補強カバー３７Ａ，３７Ｂ，３７Ｃは、補強カバー取付ベース３６Ａ，３６Ｂ，３６Ｃ，３６Ｄに固定されている。
【００５１】
また、図７に示すように、扉本体３５の扉面部３５ｆの後面には、他方の側端部３５ｌ側の上下方向の中間部に、第二扉体２２を閉状態にロックするロックユニット４０が設けられている。ロックユニット４０は、不図示の係合機構をキャビネット本体１１の底板部１２、天板部１５に係合させることで、第二扉体２２を閉状態にロックする。また、図１に示すように、扉本体３５の扉面部３５ｆには、ロックユニット４０の一部を前方に露出させる開口部３５ｍが形成されている。ロックユニット４０は、開口部３５ｍから操作部４０ｓが露出するよう設けられている。ロックユニット４０の操作部４０ｓを操作することで、不図示の係合機構におけるロック状態とアンロック状態とを切り換えることができるようになっている。
【００５２】
ここで図３、図５に示すように、第一扉体２１において第二扉体２２（図１参照。以下同じ。）側の側端部２５ｌには、第二扉体２２側に向かって延びる押さえプレート２１ｐが設けられている。図９に示すように、第一扉体２１および第二扉体２２を閉じた状態では、押さえプレート２１ｐを第二扉体２２の第一扉体２１側の端部２２ｓでキャビネット本体１１側に向かって押さえつけるようになっている。
【００５３】
さて、このような第一扉体２１、第二扉体２２において、キャビネット本体１１の前面開口部１６の外周側で底板部１２と、側板部１３，１３の他端１３ｂ，１３ｂと、天板部１５とに突き当たる部分に、シールパッキン５０が設けられている。
【００５４】
より詳しくは、図２、図４、図５に示すように、第一扉体２１においては、底板部１２と、側板部１３の他端１３ｂと、天板部１５とに突き当たるように、扉本体２５の上端部２５ｕ、下端部２５ｂ、一方の側端部２５ｋに沿うように、シールパッキン５０が設けられている。なお、第一扉体２１において、ヒンジユニット２３が設けられている部位には、シールパッキン５０が設けられていない。
【００５５】
図４、図５に示すように、シールパッキン５０は、ゴム系材料等からなり、パッキン部５１と、パッキン保持部５２と、を一体に有している。
【００５６】
パッキン部５１は、中空の扁平筒状で、扉本体２５の上端部２５ｕ、下端部２５ｂ、一方の側端部２５ｋにおいて、扉本体２５の後面部２５ｇと、これと並んで配置された補強カバー２７Ａ，２７Ｂ，２７Ｃの板状部２７ａとに跨がるように設けられる。
【００５７】
パッキン保持部５２は、パッキン部５１の幅方向中間部から直交する方向に延びる被挟持部５２ａと、被挟持部５２ａの先端で略Ｊ字状に折り返された折返し係止部５２ｂと、折返し係止部５２ｂから連続して、被挟持部５２ａと平行にパッキン部５１に向かって延びる先端延出部５２ｃと、を一体に有している。また、折返し係止部５２ｂには、先端延出部５２ｃとは反対側に向かって突出する係止凸部５２ｅが形成されている。さらに、先端延出部５２ｃの先端には、被挟持部５２ａ側に突出する係止爪部５２ｄが形成されている。
【００５８】
このパッキン保持部５２は、被挟持部５２ａが、扉本体２５の折返し端部２５ｈと、補強カバー２７Ａ，２７Ｂ，２７Ｃの側板部２７ｂとの間に挟み込まれて保持されている。また、パッキン保持部５２の折返し係止部５２ｂは、補強カバー２７Ａ，２７Ｂ，２７Ｃの側板部２７ｂの先端部に係止されている。さらに、パッキン保持部５２の係止爪部５２ｄは、補強カバー２７Ａ，２７Ｂ，２７Ｃの側板部２７ｂに形成された段部２７ｔに係止されている。パッキン保持部５２の係止凸部５２ｅは、扉本体２５の折返し端部２５ｈの先端部２５ｔに係止されている。
【００５９】
図２、図８、図９に示すように、シールパッキン５０は、第二扉体２２に対しては、底板部１２と、側板部１３の他端１３ｂと、天板部１５とに突き当たるように、扉本体３５の上端部３５ｕ、下端部３５ｂ、一方の側端部３５ｋに沿うように設けられている。また、第二扉体２２においては、第一扉体２１の押さえプレート２１ｐに突き当たる扉本体３５の他方の側端部３５ｌに沿う部分にも、シールパッキン５０が設けられている。
なお、第二扉体２２において、ヒンジユニット２３が設けられている部位には、シールパッキン５０が設けられていない。
【００６０】
シールパッキン５０のパッキン部５１は、扉本体３５の上端部３５ｕ、下端部３５ｂ、一方の側端部３５ｋ、他方の側端部３５ｌのそれぞれにおいて、扉本体３５の後面部３５ｇと、これと並んで配置された補強カバー３７Ａ，３７Ｂ，３７Ｃの板状部３７ａとに跨がるように設けられる。
【００６１】
パッキン保持部５２は、被挟持部５２ａが、扉本体３５の折返し端部３５ｈと、補強カバー３７Ａ，３７Ｂ，３７Ｃの側板部３７ｂとの間に挟み込まれて保持されている。また、パッキン保持部５２の折返し係止部５２ｂは、補強カバー３７Ａ，３７Ｂ，３７Ｃの側板部３７ｂの先端部に係止されている。さらに、パッキン保持部５２の係止爪部５２ｄは、補強カバー３７Ａ，３７Ｂ，３７Ｃの側板部３７ｂに形成された段部３７ｔに係止されている。パッキン保持部５２の係止凸部５２ｅは、扉本体３５の折返し端部３５ｈの先端部３５ｔに係止されている。
【００６２】
このようなシールパッキン５０は、第一扉体２１、第二扉体２２を閉じた状態で、パッキン部５１がキャビネット本体１１、第一扉体２１の押さえプレート２１ｐに押しつぶされて密着することで、シール性を確保する。
【００６３】
このようなシールパッキン５０は、第一扉体２１、第二扉体２２を組み立てる際に、補強カバー２７Ａ，２７Ｂ，２７Ｃ、３７Ａ，３７Ｂ，３７Ｃのそれぞれにおいて、予め、側板部３７ｂに、パッキン保持部５２の折返し係止部５２ｂを係止させておく。そして、シールパッキン５０が係止された補強カバー２７Ａ，２７Ｂ，２７Ｃ、３７Ａ，３７Ｂ，３７Ｃを、扉本体２５，３５に対して取り付ける。このようにして、シールパッキン５０の装着を容易かつ確実に行うことができる。
【００６４】
上述したように、前面開口部１６を閉塞する第一扉体２１、第二扉体２２は、キャビネット本体１１に形成された前面開口部１６を閉塞する扉面部２５ｆ，３５ｆ、および前面開口部１６の外周に沿って配置された折返し端部２５ｈ，３５ｈを有する扉本体２５，３５と、折返し端部２５ｈ，３５ｈと対向する側板部２７ｂ，３７ｂを有する補強カバー２７Ａ，２７Ｂ，２７Ｃ，２７Ｄ、３７Ａ，３７Ｂ，３７Ｃと、キャビネット本体１１と扉本体２５，３５との間に設けられたシールパッキン５０と、を備えている。シールパッキン５０は、前面開口部１６の外周側でキャビネット本体１１に突き当たるよう設けられたパッキン部５１と、パッキン部５１から扉面部２５ｆ，３５ｆ側に向かって突出し、扉本体２５，３５の外周部端部に形成された折返し端部２５ｈ，３５ｈと補強カバー２７Ａ，２７Ｂ，２７Ｃ，２７Ｄ、３７Ａ，３７Ｂ，３７Ｃの側板部２７ｂ，３７ｂとの間に挟持される被挟持部５２ａと、を一体に備える。
【００６５】
このように、扉本体２５，３５の外周部端部に形成された折返し端部２５ｈ，３５ｈと、折返し端部２５ｈ，３５ｈと対向する補強カバー２７Ａ，２７Ｂ，２７Ｃ，２７Ｄ、３７Ａ，３７Ｂ，３７Ｃとの間に、シールパッキン５０の被挟持部５２ａを挟持させることで、両面テープや接着剤等を用いることなく、シールパッキン５０を扉本体２５，３５に確実に取り付けることができる。その結果、シールパッキン５０が第一扉体２１、第二扉体２２に装着された状態を長期間にわたって確実に維持し、かつ組立性を向上させることが可能となる。
【００６６】
また、折返し端部２５ｈ，３５ｈおよび補強カバー２７Ａ，２７Ｂ，２７Ｃ，２７Ｄ、３７Ａ，３７Ｂ，３７Ｃは、扉本体２５，３５の外周部に沿って連続して設けられている。シールパッキン５０の被挟持部５２ａは、扉本体２５，３５の外周部に沿って連続して形成され、折返し端部２５ｈ，３５ｈと補強カバー２７Ａ，２７Ｂ，２７Ｃ，２７Ｄ、３７Ａ，３７Ｂ，３７Ｃとの間に挟持されている。
このようにして、シールパッキン５０の被挟持部５２ａを扉本体２５，３５の外周部に沿って連続して設けるとともに、この被挟持部５２ａを、扉本体２５，３５の外周部に沿って連続する折返し端部２５ｈ，３５ｈおよび補強カバー２７Ａ，２７Ｂ，２７Ｃ，２７Ｄ、３７Ａ，３７Ｂ，３７Ｃによって挟持することで、シールパッキン５０の全体を確実に第一扉体２１、第二扉体２２に固定することができる。
【００６７】
さらに、補強カバー２７Ａ，２７Ｂ，２７Ｃ，２７Ｄ、３７Ａ，３７Ｂ，３７Ｃが、補強部材と押さえ部材とを兼ねることで、第一扉体２１、第二扉体２２を構成する部材数を抑え、低コスト化を図ることができる。
【００６８】
補強カバー２７Ａ，２７Ｂ，２７Ｃ，２７Ｄ、３７Ａ，３７Ｂ，３７Ｃは、パッキン部５１を保持する板状部２７ａ，３７ａと、板状部２７ａ，３７ａから連続し、折返し端部２５ｈ，３５ｈに平行に延びる側板部２７ｂ，３７ｂと、を備えている。そして、シールパッキン５０は、被挟持部５２ａに連続して、側板部２７ｂ，３７ｂの先端部で折り返されて側板部２７ｂ，３７ｂに係止される折返し係止部５２ｂが一体に形成されている。
このように、シールパッキン５０の折返し係止部５２ｂが、補強カバー２７Ａ，２７Ｂ，２７Ｃ，２７Ｄ、３７Ａ，３７Ｂ，３７Ｃの側板部２７ｂ，３７ｂの先端部に係止されることで、シールパッキン５０が折返し端部２５ｈ，３５ｈと補強カバー２７Ａ，２７Ｂ，２７Ｃ，２７Ｄ、３７Ａ，３７Ｂ，３７Ｃとの間から抜けるのを確実に防止することができる。
【００６９】
また、シールパッキン５０は、折返し係止部５２ｂに連続して、側板部２７ｂ，３７ｂにおいて折返し端部２５ｈ，３５ｈと反対側の側面に沿って延び、側面に形成された段部２７ｔ、３７ｔに係合する係止爪部５２ｄをさらに備える。
このような構成によれば、シールパッキン５０の係止爪部５２ｄを、押さえ部材側段部に係合させることで、シールパッキン５０を補強カバー２７Ａ，２７Ｂ，２７Ｃ，２７Ｄ、３７Ａ，３７Ｂ，３７Ｃに対してより確実に係合させることができる。
【００７０】
シールパッキン５０の被挟持部５２ａに、折返し端部２５ｈ，３５ｈ側に突出し、折返し端部２５ｈ，３５ｈに形成された段部２５ｔ、３５ｔに係合する係止凸部５２ｅが形成されている。
このような構成によれば、シールパッキン５０の係止凸部５２ｅを、折返し端部２５ｈ，３５ｈの保持面側段部に係合させることで、シールパッキン５０を、第一扉体２１、第二扉体２２に対しても係合させることができる。
【００７１】
（その他の実施形態）
なお、本発明の什器開口部の閉塞部材、什器は、図面を参照して説明した上述の各実施形態に限定されるものではなく、その技術的範囲において様々な変形例が考えられる。
例えば、第一扉体２１，第二扉体２２は、いかなる構成であってもよい。例えば、第一扉体２１は、開口部２５ａおよびガラス部２４を有さない構成とすることもできる。逆に、第二扉体２２は、第一扉体２１と同様に開口部２５ａおよびガラス部２４を備えるようにしてもよい。
さらには、キャビネット本体１１については、上記で例示した構成に限らず、その構成や用途を適宜変更することが可能である。
加えて、第一扉体２１，第二扉体２２のような開閉扉に限らず、引出の表面材等にも、上記と同様のシールパッキン５０を適用してシール性を確保することができる。
これ以外にも、本発明の主旨を逸脱しない限り、上記実施の形態で挙げた構成を取捨選択したり、他の構成に適宜変更したりすることが可能である。
【符号の説明】
【００７２】
１０  収納キャビネット（什器）
１１  キャビネット本体（什器本体）
１６  前面開口部（什器開口部、開口部）
２１  第一扉体（閉塞部材）
２２  第二扉体（閉塞部材）
２５，３５  扉本体（閉塞部材本体）
２５ｆ、３５ｆ  扉面部(閉塞面部）
２５ｈ、３５ｈ  折返し端部（第一保持部）
２５ｔ，３５ｔ  先端部（保持面側段部）
２７Ａ，２７Ｂ，２７Ｃ，２７Ｄ、３７Ａ，３７Ｂ，３７Ｃ  補強カバー（押さえ部材）
２７ａ、３７ａ  板状部
２７ｂ、３７ｂ  側板部（第二保持部）
２７ｔ、３７ｔ  段部（押さえ部材側段部）
５０  シールパッキン
５１  パッキン部
５２  パッキン保持部
５２ａ  被挟持部
５２ｂ  折返し係止部
５２ｃ  先端延出部
５２ｄ  係止爪部
５２ｅ  係止凸部
【図１】
2016160603.tif 000003
【図２】
2016160603.tif 000004
【図３】
2016160603.tif 000005
【図４】
2016160603.tif 000006
【図５】
2016160603.tif 000007
【図６】
2016160603.tif 000008
【図７】
2016160603.tif 000009
【図８】
2016160603.tif 000010
【図９】
2016160603.tif 000011
【図１０】
2016160603.tif 000012